(57)【要約】  【課題】  ＤＶＤに記録されているデータの検索、及び頭出し再生を迅速に行うことができるＤＶＤ再生装置を提供する。  【解決手段】  ＤＶＤを再生するＤＶＤレコーダ１において、再生するタイトルのＰＧＣ情報を読み出して取得するＰＧＣ情報取得手段３１と、取得したＰＧＣ情報が示すすべてのセルのそれぞれのセルに含まれるそのセルの開始部分の静止画像データを読み出して取得するセル識別情報取得手段３２と、前記すべてのセルの開始部分の静止画像の縮小画像と選択ボタンとから成るセル一覧画面の画面情報を生成するセル一覧画面情報生成手段３３と、生成したセル一覧画面情報を表示装置に与えて前記セル一覧画面を表示させるＯＳＤ表示部９と、選択された縮小画像に対応するセルから順に、前記取得したＰＧＣ情報に従って前記タイトルを構成するセルが読み出されて再生されるように制御する再生制御手段３４とを備える。【選択図】      図１
2006134428.tif 000002
【特許請求の範囲】
【請求項１】
セルを構成単位とするストリームデータから成るビデオファイルデータと、前記セルの
再生順序を規定するプログラムチェーン情報を含み前記ビデオファイルデータを管理する
ビデオファイル管理情報とが記録されたＤＶＤを再生するＤＶＤ再生装置であって、
再生するタイトルのビデオファイルデータを管理するビデオファイル管理情報を読み出
し、それに含まれるプログラムチェーン情報を取得するプログラムチェーン情報取得手段
と、
前記プログラムチェーン情報取得手段で取得したプログラムチェーン情報が示すすべて
のセルのそれぞれのセルに含まれるそのセルを識別するセル識別情報であってそのセルの
開始部分の静止画像データを読み出して取得するセル識別情報取得手段と、取得した前記
すべてのセルの開始部分の静止画像データを用いて、前記すべてのセルの開始部分の静止
画像の縮小画像と選択ボタンとから成るセル選択メニュー画面の画面情報を生成するセル
選択メニュー画面情報生成手段と、生成したセル選択メニュー画面情報を表示装置に与え
て前記セル選択メニュー画面を表示させる表示手段とを有し、前記セル選択メニュー画面
上で、ユーザの操作に応じて、前記選択ボタンの位置を、前記すべてのセルの開始部分の
静止画像の縮小画像の間で移動させるようにして１つの縮小画像をユーザに選択させるセ
ル選択手段と、
前記セル選択手段を用いて選択された前記１つの縮小画像に対応するセルから順に、前
記取得したプログラムチェーン情報に従って前記タイトルのビデオファイルデータを構成
するセルが読み出されて再生されるように制御する再生制御手段と、
を備えたことを特徴とするＤＶＤ再生装置。
【請求項２】
セルを構成単位とするストリームデータから成るビデオファイルデータと、前記セルの
再生順序を規定するプログラムチェーン情報を含み前記ビデオファイルデータを管理する
ビデオファイル管理情報とが記録されたＤＶＤを再生するＤＶＤ再生装置であって、
再生するタイトルのビデオファイルデータを管理するビデオファイル管理情報を読み出
し、それに含まれるプログラムチェーン情報を取得するプログラムチェーン情報取得手段
と、
前記プログラムチェーン情報取得手段で取得したプログラムチェーン情報が示すすべて
のセルのうちの１つのセルをユーザに選択させるセル選択手段と、
前記セル選択手段を用いて選択されたセルから順に、前記取得したプログラムチェーン
情報に従って前記タイトルのビデオファイルデータを構成するセルが読み出されて再生さ
れるように制御する再生制御手段と、
を備えたことを特徴とするＤＶＤ再生装置。
【請求項３】
前記セル選択手段は、
前記プログラムチェーン情報取得手段で取得したプログラムチェーン情報が示すすべて
のセルのそれぞれのセルに含まれるそのセルを識別するセル識別情報を読み出して取得す
るセル識別情報取得手段と、
取得した前記すべてのセルのセル識別情報を示す画像と選択ボタンとから成るセル選択
メニュー画面の画面情報を生成するセル選択メニュー画面情報生成手段と、
生成したセル選択メニュー画面情報を表示装置に与えて前記セル選択メニュー画面を表
示させる表示手段と、
を有し、前記セル選択メニュー画面上で、ユーザの操作に応じて、前記選択ボタンの位
置を、前記すべてのセルのセル識別情報を示す画像の間で移動させるようにして１つの画
像をユーザに選択させるようにし、前記再生制御手段は、選択された前記１つの画像に対
応するセルから順に再生されるように制御することを特徴とする請求項２に記載のＤＶＤ
再生装置。
【請求項４】
前記セル識別情報は、セルの開始部分の静止画像データであり、前記すべてのセルのセ
ル識別情報を示す画像は、前記すべてのセルの開始部分の静止画像の縮小画像であること
を特徴とする請求項３に記載のＤＶＤ再生装置。
【発明の詳細な説明】
【技術分野】
【０００１】
本発明は、ＤＶＤ（Digital Versatile Disc：デジタルバーサタイルディスク）に記録
されているデータの再生を行うＤＶＤ再生装置に関する。
【背景技術】
【０００２】
画像や音声のデータを記録した再生専用光ディスクは、音楽用ＣＤ（Compact Disc）、
レーザディスク、ビデオＣＤなどとして既に実用化されている。また、動画像圧縮の国際
標準規格であるＭＰＥＧ２（Moving Picture Experts Group Phase2）及びＡＣ３オーデ
ィオ圧縮方式を用いたＤＶＤ規格が制定され、ＤＶＤビデオとして実用化されている。Ｄ
ＶＤ規格は当初、再生専用、即ち書き換えが不可能な再生専用のＤＶＤ−ＲＯＭ（Read O
nly Memory）を対象としたＤＶＤ−Ｖｉｄｅｏ規格であったが、その後、再生はもちろん
、書き換えが可能なＤＶＤ−ＶＲ規格などが制定されている。
【０００３】
ＤＶＤ−Ｖｉｄｅｏ規格では、ディスクタイトル制作会社のためにＶＭＧ・ＶＴＳメニ
ュー（メニュー情報）を用意しており、これらのメニュー情報は専用オーサリング機器を
使用して制作される。そして、再生時には通常のビデオデータに加えてディスクの記録内
容（タイトル）をメニュー情報を参照して表示させ、視聴希望タイトルを、副映像を利用
したボタン表示等でユーザに選択させることで、視聴希望タイトルの検索や視聴希望タイ
トルの頭出し再生を行うようにしている。
【０００４】
ＤＶＤ−ＶＲ規格でも、ＤＶＤ−Ｖｉｄｅｏ規格と同様に、ディスクに記録されている
タイトルをメニュー情報を参照して表示させ、その中の視聴希望タイトルを、副映像を利
用したボタン表示等でユーザに選択させることで、視聴希望タイトルの検索や視聴希望タ
イトルの頭出し再生を行うようにしている。
【０００５】
また、記録内容に対応したメニューをユーザが作成できるようにしたデジタル情報記録
再生システムがある（例えば、特許文献１参照）。
【０００６】
また、異なる圧縮方式で圧縮された複数の実態情報を含んで成るＤＶＤ等の光ディスク
の、メニュー画面の構築に係る処理負担を低減可能とした情報再生装置もある（例えば、
特許文献２参照）。
【０００７】
また、光ディスクなどの情報記録媒体の再生時において、再生の遷移状態を元に戻す（
一つ前、二つ前に戻す）ことが可能な情報再生装置もある（例えば、特許文献３参照）。
【０００８】
また、再生経路の階層構造がアプリケーション毎に異なる場合であっても、ユーザの意
図した先へ円滑に頭出し操作を行えるようにしたデータ再生システムもある（例えば、特
許文献４参照）。
【特許文献１】特開２００３−３６６５３号公報
【特許文献２】特開２００４−２１５１１１号公報
【特許文献３】特開２００１−８６４６９号公報
【特許文献４】特開２０００−９０６５１号公報
【発明の開示】
【発明が解決しようとする課題】
【０００９】
しかしながら、大容量のＤＶＤに記録されるデータは大量であり、視聴したい映像等の
検索、及び頭出し再生を行うのに、タイトルの表示、及びその選択だけでは、視聴したい
映像等を検索するのに更に時間がかかるので、迅速に視聴したい映像等を視聴することが
できないという問題があった。
【００１０】
また、特許文献１に記載の従来技術では、ＤＶＤ−ＶＲ規格で記録される場合のように
、記録されるタイトル数が増減する場合には、タイトル数が変わる度に再製作する必要の
あるメニュー画面を比較的簡単に製作することができるが、再製作されるメニュー画面で
検索、選択できるのは、やはりタイトルのみであり、そのタイトル内の視聴したい映像等
の検索、及び頭出し再生を迅速に行えるようにすることはできない。
【００１１】
また、特許文献２に記載の従来技術は、異なる圧縮方式で圧縮された複数の実態情報の
１つの実態情報に含まれるメニュー情報を他の実態情報のメニュー情報として転用するこ
とにより、メニュー画面の構築に係る処理負担を低減するものであり、タイトル内の視聴
したい映像等の検索、及び頭出し再生を迅速に行えるようにするものではない。
【００１２】
また、特許文献３に記載の従来技術では、過去に再生された画面を復元再生させること
はできるが、タイトル内のこれから視聴したい映像等の検索、及び頭出し再生を迅速に行
うことはできない。
【００１３】
また、特許文献４に記載の従来技術では、頭出し動作の実行単位をユーザが適宜決定し
、決定した実行単位でユーザの意図する先への頭出しを行うことができるが、その頭出し
動作は、次の映像等へ決定した実行単位で順にスキップさせるという動作であり、視聴し
たい映像等の頭出し再生を行うためには、複数回のスキップ動作を必要とすることがあり
、視聴したい映像等への頭出しを迅速に行うことができないこともあった。
【００１４】
本発明は、上記の問題点を解決するためになされたもので、ＤＶＤに記録されているデ
ータの検索、及び頭出し再生を迅速に行うことができるＤＶＤ再生装置を提供することを
目的とする。
【課題を解決するための手段】
【００１５】
上記目的を達成するために、請求項１の発明は、セルを構成単位とするストリームデー
タから成るビデオファイルデータと、前記セルの再生順序を管理するプログラムチェーン
情報を含み前記ビデオファイルデータを管理するビデオファイル管理情報とが記録された
ＤＶＤを再生するＤＶＤ再生装置であって、再生するタイトルのビデオファイルデータを
管理するビデオファイル管理情報を読み出し、それに含まれるプログラムチェーン情報を
取得するプログラムチェーン情報取得手段と、前記プログラムチェーン情報取得手段で取
得したプログラムチェーン情報が示すすべてのセルのそれぞれのセルに含まれるそのセル
を識別するセル識別情報であってそのセルの開始部分の静止画像データを読み出して取得
するセル識別情報取得手段と、取得した前記すべてのセルの開始部分の静止画像データを
用いて、前記すべてのセルの開始部分の静止画像の縮小画像と選択ボタンとから成るセル
選択メニュー画面の画面情報を生成するセル選択メニュー画面情報生成手段と、生成した
セル選択メニュー画面情報を表示装置に与えて前記セル選択メニュー画面を表示させる表
示手段とを有し、前記セル選択メニュー画面上で、ユーザの操作に応じて、前記選択ボタ
ンの位置を、前記すべてのセルの開始部分の静止画像の縮小画像の間で移動させるように
して１つの縮小画像をユーザに選択させるセル選択手段と、前記セル選択手段を用いて選
択された前記１つの縮小画像に対応するセルから順に、前記取得したプログラムチェーン
情報に従って前記タイトルのビデオファイルデータを構成するセルが読み出されて再生さ
れるように制御する再生制御手段とを備えたことを特徴とするＤＶＤ再生装置を提供する
。
【００１６】
この構成によれば、再生するタイトルのビデオファイルデータを管理するビデオファイ
ル管理情報に含まれるプログラムチェーン情報から、再生するタイトルのビデオファイル
データを構成するすべてのセルがわかり、そのすべてのセルの開始部分の静止画像データ
が読み出され、読み出された前記すべてのセルの開始部分の静止画像データを用いて、前
記すべてのセルの開始部分の静止画像の縮小画像と選択ボタンとから成るセル選択メニュ
ー画面が表示される。前記選択ボタンは、ユーザの操作に応じて前記すべてのセルの開始
部分の静止画像の縮小画像の間を移動するので、ユーザは、前記セル選択メニュー画面を
見て、その中の１つの縮小画像を選択することにより、再生するタイトルのビデオファイ
ルデータを構成するすべてのセルのうちの１つのセルを検索して選択することができる。
そして、選択されたセルから順に、前記プログラムチェーン情報に従って前記タイトルの
ビデオファイルデータを構成するセルが読み出されて再生される。
【００１７】
請求項２の発明は、セルを構成単位とするストリームデータから成るビデオファイルデ
ータと、前記セルの再生順序を管理するプログラムチェーン情報を含み前記ビデオファイ
ルデータを管理するビデオファイル管理情報とが記録されたＤＶＤを再生するＤＶＤ再生
装置であって、再生するタイトルのビデオファイルデータを管理するビデオファイル管理
情報を読み出し、それに含まれるプログラムチェーン情報を取得するプログラムチェーン
情報取得手段と、前記プログラムチェーン情報取得手段で取得したプログラムチェーン情
報が示すすべてのセルのうちの１つのセルをユーザに選択させるセル選択手段と、前記セ
ル選択手段を用いて選択されたセルから順に、前記取得したプログラムチェーン情報に従
って前記タイトルのビデオファイルデータを構成するセルが読み出されて再生されるよう
に制御する再生制御手段とを備えたことを特徴とするＤＶＤ再生装置を提供する。
【００１８】
この構成によれば、再生するタイトルのビデオファイルデータを管理するビデオファイ
ル管理情報に含まれるプログラムチェーン情報から、再生するタイトルのビデオファイル
データを構成するすべてのセルがわかり、前記すべてのセルのうちの１つのセルをユーザ
に選択させることができる。そして、選択されたセルから順に、前記プログラムチェーン
情報に従って前記タイトルのビデオファイルデータを構成するセルが読み出されて再生さ
れる。
【００１９】
請求項３の発明は、請求項２の発明において、前記セル選択手段は、前記プログラムチ
ェーン情報取得手段で取得したプログラムチェーン情報が示すすべてのセルのそれぞれの
セルに含まれるそのセルを識別するセル識別情報を読み出して取得するセル識別情報取得
手段と、取得した前記すべてのセルのセル識別情報を示す画像と選択ボタンとから成るセ
ル選択メニュー画面の画面情報を生成するセル選択メニュー画面情報生成手段と、生成し
たセル選択メニュー画面情報を表示装置に与えて前記セル選択メニュー画面を表示させる
表示手段とを有し、前記セル選択メニュー画面上で、ユーザの操作に応じて、前記選択ボ
タンの位置を、前記すべてのセルのセル識別情報を示す画像の間で移動させるようにして
１つの画像をユーザに選択させるようにし、前記再生制御手段は、選択された前記１つの
画像に対応するセルから順に再生されるように制御することを特徴とする請求項２に記載
のＤＶＤ再生装置としている。
【００２０】
この構成によれば、前記すべてのセルのセル識別情報が読み出され、前記すべてのセル
の識別情報を示す画像と選択ボタンとから成るセル選択メニュー画面が表示される。前記
選択ボタンは、ユーザの操作に応じて前記すべてのセルの識別情報を示す画像の間を移動
するので、ユーザは、前記セル選択メニュー画面を見て、その中の１つのセルの識別情報
を示す画像を選択することにより、再生するタイトルのビデオファイルデータを構成する
すべてのセルのうちの１つのセルを検索して選択することができる。そして、選択された
セルから順に、前記プログラムチェーン情報に従って前記タイトルのビデオファイルデー
タを構成するセルが読み出されて再生される。
【００２１】
請求項４の発明では、請求項３の発明において、前記セル識別情報は、セルの開始部分
の静止画像データであり、前記すべてのセルのセル識別情報を示す画像は、前記すべての
セルの開始部分の静止画像の縮小画像であることを特徴としている。
【００２２】
これによれば、前記すべてのセルの開始部分の静止画像データが読み出され、前記すべ
てのセルの開始部分の静止画像の縮小画像と選択ボタンとから成るセル選択メニュー画面
が表示される。前記選択ボタンは、ユーザの操作に応じて前記すべてのセルの開始部分の
静止画像の縮小画像の間を移動するので、ユーザは、前記すべてのセルの開始部分の静止
画像を視認することができ、再生するタイトルのビデオファイルデータを構成するすべて
のセルのうちの１つのセルを選択することが容易となる。
【発明の効果】
【００２３】
以上のように本発明によれば、再生するタイトルのビデオファイルデータを構成するす
べてのセルのうちの１つのセルをユーザが選択でき、選択されたセルから順に、前記タイ
トルのビデオファイルデータを構成するセルが読み出されて再生されるので、ＤＶＤに記
録されているデータの検索、及び頭出し再生をセル単位で迅速に行うことができるＤＶＤ
再生装置が実現できる。
【００２４】
また、本発明によれば、前記すべてのセルのセル識別情報が読み出され、前記すべての
セルの識別情報を示す画像と選択ボタンとから成るセル選択メニュー画面が表示され、前
記選択ボタンは、ユーザの操作に応じて前記すべてのセルの識別情報を示す画像の間を移
動するので、ユーザは、再生を開始できるセルの一覧を認識できるとともに、再生を開始
したいセルを選択しそのセルからの頭出し再生を迅速に行うことができる。
【００２５】
また、本発明によれば、前記セル選択メニュー画面に表示される前記すべてのセルのセ
ル識別情報を示す画像は、前記すべてのセルの開始部分の静止画像の縮小画像であるので
、ユーザは、再生するタイトルの、再生を開始できる静止画像の一覧が認識でき、再生を
開始したいセルを選択しそのセルからの頭出し再生を迅速に行うことが容易となる。
【発明を実施するための最良の形態】
【００２６】
以下、添付図面を参照しつつ、本発明の実施形態について説明する。図１は、本発明の
一実施形態のＤＶＤレコーダ（ＤＶＤ再生装置）の電気的構成を示すブロック図である。
【００２７】
図１において、１はＤＶＤレコーダであり、１０はＤＶＤ−ＶＲ規格に基づいてアプリ
ケーションなどのデータが記録されるＤＶＤである。ＤＶＤレコーダ１は、リモコン装置
（図示せず）やフロントパネル（図示せず）に設けられた操作キー（図示せず）がユーザ
に操作されることにより、このＤＶＤレコーダ１を操作する操作入力が与えられるキー操
作入力部２、キー操作入力部２からの操作入力信号を受けて、その操作入力信号の内容に
応じた制御信号などを出力してこのＤＶＤレコーダ１の各部の制御を行ったり、各種演算
処理などを行ったりする制御部３を備えている。
【００２８】
また、ＤＶＤレコーダ１は、制御部３の制御、及び処理動作に必要なプログラム、及び
データを記憶するＲＯＭ（Read Only Memory）４、その処理動作中のワーキングメモリと
して使用されるＲＡＭ（Random Access Memory）５、ＤＶＤ１０が装填され、装填された
ＤＶＤ１０を回転させるとともにレーザ光を照射することによりＤＶＤ１０の記録領域に
データを書き込んだり、記録されているデータを読み出したりするディスクドライブ部６
を備えている。
【００２９】
また、ＤＶＤレコーダ１は、他の装置（外部入力機器やチューナなど）からのビデオ信
号（映像信号および音声信号）が入力され、入力されたビデオ信号をデジタル信号に変換
し、さらにそのデジタル信号を符号化したデジタルデータを生成してディスクドライブ部
６に与えるエンコード部７、ディスクドライブ部６から出力されたデジタルデータを複合
化してデジタル信号にし、さらにそのデジタル信号をアナログ信号に変換してアナログビ
デオ信号を生成し、図示しない外部テレビジョン受像機（表示装置：以下、外部ＴＶとい
う）に出力するデコード部８、及び制御部３からの画像情報等に基づくオンスクリーン画
像情報を生成し、デコード部８からのアナログビデオ信号に重畳して外部ＴＶに送ること
のできるＯＳＤ（On Screen Display）表示部９を備えている。
【００３０】
また、制御部３には、後述するＰＧＣ（Program Chain：プログラムチェーン）情報取
得手段３１と、セル識別情報取得手段３２と、セル一覧（セル選択メニュー）画面情報生
成手段３３と、再生制御手段３４とが含まれており、これらは、いずれも制御部３を動作
させるプログラムによって実現可能である。
【００３１】
このような構成のＤＶＤレコーダ１は、ユーザの操作に応じて、エンコード部７に入力
されるビデオ信号をデジタルデータに変換してＤＶＤ１０に記録したり、ＤＶＤ１０に記
録されているデジタルデータを読み出しビデオ信号に再生して出力したりすることができ
る。
【００３２】
次に、ＤＶＤ１０に記録されているアプリケーションの論理構造の説明を行う。ＤＶＤ
では、アプリケーション毎の単位をタイトルと称し、個々のタイトルはプログラムとプロ
グラムの再生経路から構成される。なお、タイトルの上位概念として、動画情報を互いに
共有する複数のタイトルを規定するタイトルセットが設定されている。
【００３３】
プログラムは映像情報、音声情報の論理的な再生単位であり、セルと称されるＭＰＥＧ
のシステムストリームによって構成されている。論理的な再生単位としてプログラムが設
定されている理由は、セルを異なる再生経路で共有するためであり、システムストリーム
中のセルの再生順序はシステムストリーム再生制御情報で規定されている。ここで、シス
テムストリーム再生制御情報のことをプログラムチェーン（ＰＧＣ）と称する。かかるＰ
ＧＣは、分岐を含むプログラムからのリンクにより互いに論理的に接続され、これにより
分岐を含む再生経路を構築するものである。
【００３４】
図２は、ＤＶＤ１０に記録されている記録情報のファイル構成を示す図である。図示の
ように、記録情報は、大きく分けて、ディスク情報ファイルと複数のビデオファイルから
構成されている。
【００３５】
図３は、図２に示すディスク情報ファイルのデータ構成を示す図である。ディスク情報
ファイルはディスク情報ファイル内部の構成を示すファイル管理テーブルと、ビデオファ
イルの名前、格納場所、タイトル名などの情報を管理するディスク構成情報と、ディスク
の再生開始時にユーザがタイトルセットを選択するためのタイトルメニュー構成情報（メ
ニュー情報）と、各タイトルセット内の字幕やオーディオの言語選択のために用いられる
メニュー構成情報が格納される。
【００３６】
また、ビデオファイルには、個々のタイトルセットが格納されており、ビデオファイル
管理情報とビデオファイルデータから構成されている。図４に、かかるビデオファイルの
データ構成を示す。ここで、ビデオファイルデータにはタイトルセットを構成する全ての
ＭＰＥＧシステムストリームが格納される。このＭＰＥＧシステムストリームは前述した
ように一連のセルから構成されている。セルは、２ＫＢのブロックを１パックとし、動画
情報と音声情報と管理情報がインタリーブされた構成を有する。この内、動画情報はＧＯ
Ｐ（Group of pictures）と称されるフレーム間動画データ圧縮・伸長単位から構成され
る。また、管理情報は、このＧＯＰに先だって管理パックとしてＧＯＰ毎にインタリーブ
される。
【００３７】
また、図４に示すビデオファイルの内、ビデオファイル管理情報は、ビデオファイル管
理テーブルと、タイトル管理情報と、ＰＧＣ情報テーブルとから構成されている。ここで
、ビデオファイル管理テーブルは、このファイルのヘッダ情報であり、ＰＧＣ情報テーブ
ルやタイトル管理情報へのポインタが格納されている。
【００３８】
図５は、図４に示すＰＧＣ情報テーブルのデータ構成を示す図である。ＰＧＣ情報テー
ブルは、図示の如く、複数のＰＧＣ情報から構成されている。ここで、各ＰＧＣ情報は、
タイトルセット内のシステムストリーム再生制御情報を定義するものであり、オリジナル
ＰＧＣ情報とプレイリストＰＧＣ情報とがある。オリジナルＰＧＣ情報は、ＰＧＣが格納
する全プログラム数、ＰＧＣに格納される全セル数、ＰＧＣの全再生時間、及びＰＧＣ制
御情報から構成され、プレイリストＰＧＣ情報は、そのプレイリストＰＧＣに格納される
セル数、及びＰＧＣ制御情報から構成される。
【００３９】
尚、プレイリストとは、ＤＶＤ−ＶＲ規格の大きな特徴である仮想編集ともいえる機能
を実現するために、映像の範囲とそれを再生する順序を指定したリストのことであり、こ
れにより、ＣＭ（コマーシャル）部分だけをカットした番組などを作ったり、複数のプレ
イリストを作成して１本のオリジナル映像を何通りもの見せ方にしたりするための編集が
容易に行える。
【００４０】
また、プログラムとは、一般に、映画アプリケーションではチャプタ、音楽アプリケー
ションではインデックスと称されるものであり、１つのＰＧＣ内には通常、複数のプログ
ラムが含まれている。かかるプログラム数は、図５において、格納プログラム数として規
定されている。また、各プログラムの昇降順序は、後述するＰＧＣ制御情報として格納さ
れている。即ち、各プログラム内の先頭セルのセル番号がＰＧＣ制御情報内に順番に格納
されており、このセル番号のエントリ番号が各プログラムのプログラム番号に対応する。
【００４１】
さらに、かかるＰＧＣ制御情報は、１つのＰＧＣ内においてストリーム再生すべきセル
とその再生順序を規定している。具体的には、ＰＧＣ制御情報は、複数の格納セル情報の
エントリから構成され、格納セル情報は再生すべきセルに対し、その再生時間、ビデオフ
ァイルデータに格納されるセルデータ実体へのオフセット、セルデータが占める論理ブロ
ック数を格納する。またこの格納セル情報のエントリ順序でセルの再生順序を指定する。
【００４２】
図６は、図４に示すタイトル管理情報のデータ構成を示す図である。タイトル管理情報
は、このタイトルセットを構成する複数のタイトルを管理するための情報で、各タイトル
の先頭位置に対応するＰＧＣを規定する先頭ＰＧＣ情報テーブルからなる。かかる先頭Ｐ
ＧＣ情報テーブルは、タイトルセット内のタイトル数と、タイトル先頭ＰＧＣポインタ情
報からなる。ここで、タイトル先頭ＰＧＣポインタ情報には、該当するＰＧＣ情報へのフ
ァイル先頭からのオフセットが論理ブロック数で格納される。
【００４３】
尚、上述のデータ構成において、ＰＧＣの指定を行う場合には、ＰＧＣ情報テーブル中
のＰＧＣ番号が参照され、プログラムの指定を行う場合には、ＰＧＣ制御情報内でのセル
のエントリ番号が参照される。
【００４４】
次に、ＤＶＤ１０に上述の構成で記録されているデータを再生する際の図１に示すＤＶ
Ｄレコーダ１の再生動作の一例を図７のフローチャートを参照して説明する。
【００４５】
先ず、ユーザが操作キー等を操作してキー操作入力部２にＤＶＤ１０の再生開始指示を
与えると、キー操作入力部２は、制御部３に再生開始指示信号を与える（ステップＳ１）
。
【００４６】
この再生開始指示信号が与えられた制御部３は、ディスクドライブ部６を駆動してＤＶ
Ｄ１０のディスク情報ファイルを読み出す。ディスク情報ファイルには、上述したように
、タイトルの選択を行うためのメニュー情報が格納されており、制御部３は、読み出した
メニュー情報に基づいてＯＳＤ表示部９を制御して、再生するタイトルをユーザに選択さ
せるためのタイトル一覧画面を外部ＴＶに表示させる（ステップＳ２）。尚、このとき、
制御部３は、オンスクリーン画像情報であり前記タイトル一覧画面となるタイトル一覧画
面情報を、読み出したメニュー情報に基づき生成してＯＳＤ表示部９に与え、そのタイト
ル一覧画面情報がＯＳＤ表示部９から外部ＴＶに送られる。
【００４７】
例えば、ここでは、ＤＶＤ１０に「タイトル１」〜「タイトル６」の６個のタイトルが
記録されている場合を想定する。この場合、図８（ａ）に示すようなタイトル一覧画面が
表示される。このタイトル一覧画面は、例えば、各タイトルの開始部分の静止画像を縮小
した６枚の縮小画像と、選択ボタンとを１つのメニュー画面にしたもので、前記選択ボタ
ンは、これら６枚の縮小画像のいずれか１つを高輝度（ハイライト）にするハイライトボ
タンで構成される。このハイライトボタンは、キー操作入力部２の操作キー（例えば、十
字キーやカーソル移動キー）が操作されることによって、前記６枚の縮小画像の間を、い
ずれかの縮小画像を高輝度にするように移動する。尚、前記選択ボタンは、上述のような
ハイライトボタンに限定されるものではなく、例えば、前記６枚の縮小画像のいずれか１
つを特定の色で縁取りするフレームボタンであっても良い。
【００４８】
そして、ユーザが再生したいタイトルを選択決定すると（ステップＳ３）、その選択決
定信号がキー操作入力部２から制御部３へ伝えられ、次に、制御部３は、再生方法選択画
面を外部ＴＶに表示させる（ステップＳ４）。この再生方法選択画面は、例えば、ユーザ
が再生したいタイトルを選択決定したときにポップアップするようにした図８（ｂ）に示
すような小メニュー画面である。尚、このとき、制御部３は、オンスクリーン画像情報で
あり再生方法選択画面となる再生方法選択画面情報を生成してＯＳＤ表示部９に与え、そ
の再生方法選択画面情報がＯＳＤ表示部９から外部ＴＶに送られる。
【００４９】
例えば、ユーザが「タイトル３」を再生したい場合、ユーザは、キー操作（例えば、十
字キーやカーソル移動キーを押下）で前記ハイライトボタンを「タイトル３」の縮小画像
の位置に移動させ、別のキー操作（例えば、エンターキーや決定キーを押下）で選択決定
する。すると、「タイトル３」の縮小画像以外の各タイトルの縮小画像が表示されなくな
るか、それらの輝度が選択決定前の輝度よりもさらに低くなるなどして、「タイトル３」
が選択決定されたことがユーザに通知され、「タイトル３」の縮小画像の表示されている
位置以外の位置に、前記小メニュー画面が表示される。
【００５０】
この小メニュー画面は、図８（ｂ）に示すように、「先頭から再生」、「リジューム再
生」、「セルから再生」の３つのテキスト画像と選択ボタンとを１つの小メニュー画面に
したもので、この選択ボタンは、タイトル一覧画面の選択ボタンと同様に、これら３つの
テキスト画像のいずれか１つを高輝度にするハイライトボタンで構成される。このハイラ
イトボタンは、キー操作入力部２の操作キー（例えば、十字キーやカーソル移動キー）が
操作されることによって、前記３つのテキスト画像の間を、いずれかのテキスト画像を高
輝度にするように移動する。尚、この選択ボタンも、上述のようなハイライトボタンに限
定されるものではなく、例えば、前記３つのテキスト画像のいずれか１つを特定の色で縁
取りするフレームボタンであっても良い。
【００５１】
ここで、「先頭から再生」とは、選択したタイトルの先頭から再生する再生方法であり
、「リジューム再生」とは、そのタイトルを前回再生した際に、その再生を停止した位置
から再度、再生する再生方法である。また、「セルから再生」とは、本発明の特徴的な再
生方法であって、選択したタイトルを構成するすべてのセルのうち、ユーザが選択したセ
ルから再生する再生方法である。
【００５２】
そして、ユーザが再生したい再生方法として「セルから再生」を選択決定すると（ステ
ップＳ５）、「セルから再生」の選択決定信号がキー操作入力部２から制御部３へ伝えら
れ、制御部３は、ＰＧＣ情報取得手段３１を用いて、ディスクドライブ部６を駆動して選
択されたタイトル（ここでは「タイトル３」）のビデオファイルのビデオファイル管理情
報をＤＶＤ１０から読み出し、ビデオファイル管理情報のタイトル管理情報にある先頭Ｐ
ＧＣ情報テーブルを参照し、再生するタイトル（ここでは「タイトル３」）のＰＧＣを求
め、ＰＧＣ情報テーブルからＰＧＣ情報を取得する（ステップＳ６）。このとき、ＰＧＣ
情報として、ＰＧＣ情報テーブルが複数のプレイリストＰＧＣ情報を有する場合は、ユー
ザに希望するプレイリストを選択させ、そのプレイリストに該当するプレイリストＰＧＣ
情報を得るようにする。また、このとき制御部３は、取得したＰＧＣ情報をＲＡＭ５に転
送し保持させておく。
【００５３】
次に、制御部３は、セル識別情報取得手段３２を用いて、ＲＡＭ５に保持されたＰＧＣ
情報に含まれるすべての格納セル情報が示すセルの開始部分の静止画像データ（セル識別
情報）をＤＶＤ１０に記録されているビデオファイルデータから読み出す。そして、読み
出したすべてのセルの静止画像データから、すべてのセルの静止画像をそれぞれ縮小した
サムネイル画像と選択ボタンとを１つのメニュー画面にしたセル一覧画面（セル選択メニ
ュー画面）のセル一覧画面情報をセル一覧画面情報生成手段３３により生成し、ＯＳＤ表
示部９に与える。これにより、外部ＴＶに図８（ｃ）に示すようなセル一覧画面が表示さ
れる（ステップＳ７）。
【００５４】
このセル一覧画面は、例えば、上述のようにして読み出されたＰＧＣ情報に含まれるセ
ルが「セル１」〜「セル６」の６個のセルである場合、その６個のセルのそれぞれの開始
部分の静止画像をそれぞれ縮小した６枚のサムネイル画像（縮小画像）と選択ボタンとを
１つのメニュー画面にしたもので、この選択ボタンは、タイトル一覧画面の選択ボタンと
同様に、これら６枚のサムネイル画像のいずれか１つを高輝度にするハイライトボタンで
構成される。このハイライトボタンは、キー操作入力部２の操作キー（例えば、十字キー
やカーソル移動キー）が操作されることによって、前記６枚のサムネイル画像の間を、い
ずれかのサムネイル画像を高輝度にするように移動する。尚、この選択ボタンも、上述の
ようなハイライトボタンに限定されるものではなく、例えば、前記６枚のサムネイル画像
のいずれか１つを特定の色で縁取りするフレームボタンであっても良い。
【００５５】
そして、ユーザが再生したいセルを選択決定すると（ステップＳ８）、セル選択決定信
号がキー操作入力部２から制御部３へ伝えられ、制御部３は、ＲＡＭ５に記憶されている
ＰＧＣ情報が示す再生順序に従って、選択されたセルから順にプログラムのストリームデ
ータが読み出されて再生されるように、再生制御手段３４を用いてディスクドライブ部６
及びデコード部８を制御して再生を行う（ステップＳ９）。これにより、外部ＴＶには、
順に読み出されるセルのストリームデータがデコード部８によりデコードされたビデオ信
号が与えられ、「タイトル３」の映像等が、選択されたセルのシーンから再生されること
になる。即ち、「タイトル３」の中の視聴を希望するシーンからの頭出し再生が行われる
ことになる。
【００５６】
例えば、ユーザが、図８（ｃ）に示す「タイトル３」のセル一覧画面を見て、「セル２
」から再生したいと思った場合、ユーザは、キー操作（例えば、十字キーやカーソル移動
キーを押下）で前記ハイライトボタンを「セル２」のサムネイル画像の位置に移動させ、
別のキー操作（例えば、エンターキーや決定キーを押下）で選択決定する。すると、図８
（ｄ）に示すように、「タイトル３」の「セル２」の画像がフルスクリーンで表示され、
その画像のシーンから「タイトル３」の再生が始まる。
【００５７】
尚、ステップ５において、ユーザが再生したい再生方法として「先頭から再生」または
「リジューム再生」を選択決定した場合も、「セルから再生」が選択決定された場合と同
様に、制御部３は、ディスクドライブ部６を駆動して選択されたタイトルのビデオファイ
ルのビデオファイル管理情報をＤＶＤ１０から読み出し、ビデオファイル管理情報のタイ
トル管理情報にある先頭ＰＧＣ情報テーブルを参照し、再生するタイトルのＰＧＣを求め
、ＰＧＣ情報テーブルからＰＧＣ情報を取得する。そして、このとき、ＰＧＣ情報として
、ＰＧＣ情報テーブルが複数のプレイリストＰＧＣ情報を有する場合は、ユーザに希望す
るプレイリストを選択させ、そのプレイリストに該当するプレイリストＰＧＣ情報を得る
ようにし、読み出したＰＧＣ情報をＲＡＭ５に転送し保持させておく。
【００５８】
しかし、この場合（「先頭から再生」または「リジューム再生」を選択決定した場合）
は、制御部３は、ＲＡＭ５に記憶されているＰＧＣ情報が示す再生順序に従って、先頭ま
たは前回再生時の停止したエントリーポイントから順にプログラムのストリームデータが
読み出されて再生されるように、ディスクドライブ部６及びデコード部８を制御して再生
を行う。これにより、外部ＴＶには、読み出されたストリームデータがデコード部８によ
りデコードされたビデオ信号が与えられ、選択されたタイトルの映像等が先頭のシーンま
たは前回再生時の停止したシーンから再生されることになる。
【００５９】
以上説明したように、本実施形態のＤＶＤレコーダ１は、再生時に、再生するタイトル
を構成するすべてのセルの開始部分のサムネイル画像を表示したセル一覧画面を表示させ
ることができる。これにより、ユーザは、表示されたセル一覧画面を見て、視聴したいシ
ーンを検索することができる。また、そのセル一覧画面は、ユーザの操作により表示され
ているサムネイル画像の間で移動する選択ボタンを有しているので、ユーザは、表示して
いるサムネイル画像の中から視聴したいシーンの１つのサムネイル画像を選択することが
できる。そして、選択されたサムネイル画像が示すセルから順に再生が開始される。即ち
、ユーザは、再生したいタイトル内の視聴したいシーンから即座に頭出し再生することが
できる。
【００６０】
一般的に、セルが異なるということは、シーンが異なることが多いので、このように、
タイトル内のシーンがセル単位で表示されて選択でき、選択したセルからの迅速な頭出し
再生が行えるということは、ユーザにとって、視聴したいシーンを検索し、そのシーンか
らの迅速な頭出し再生を行う上で、非常に有効である。
【００６１】
尚、本実施形態は、記録・再生機能を備えたＤＶＤレコーダであったが、再生専用のＤ
ＶＤプレーヤなどに本発明が適用できるのは言うまでもない。
【００６２】
また、今回開示された実施形態はすべての点で例示であって制限的なものではないと考
えられるべきである。本発明の範囲は上記した説明ではなくて特許請求の範囲によって示
され、特許請求の範囲と均等の意味及び範囲内でのすべての変更が含まれることが意図さ
れる。
【図面の簡単な説明】
【００６３】
【図１】本発明の一実施形態のＤＶＤレコーダ（ＤＶＤ再生装置）の電気的構成を示すブロック図である。
【図２】図１に示すＤＶＤに記録されている記録情報のファイル構成を示す図である。
【図３】図２に示すディスク情報ファイルのデータ構成を示す図である。
【図４】図２に示すビデオファイルのデータ構成を示す図である。
【図５】図４に示すＰＧＣ情報テーブルのデータ構成を示す図である。
【図６】図４に示すタイトル管理情報のデータ構成を示す図である。
【図７】図１に示すＤＶＤレコーダの再生動作の一例を示すフローチャートである。
【図８】図７に示す再生動作中の表示画面例を示す図である。
【符号の説明】
【００６４】
１    ＤＶＤレコーダ（ＤＶＤ再生装置）
２    キー操作入力部
３    制御部
４    ＲＯＭ
５    ＲＡＭ
６    ディスクドライブ部
７    エンコード部
８    デコード部
９    ＯＳＤ表示部（表示手段、セル選択手段）
１０    ＤＶＤ
３１    ＰＧＣ（プログラムチェーン）情報取得手段
３２    セル識別情報取得手段（セル選択手段）
３３    セル一覧（セル選択メニュー）画面情報生成手段（セル選択手段）
３４    再生制御手段
【図１】
2006134428.tif 000003
【図２】
2006134428.tif 000004
【図３】
2006134428.tif 000005
【図４】
2006134428.tif 000006
【図５】
2006134428.tif 000007
【図６】
2006134428.tif 000008
【図７】
2006134428.tif 000009
【図８】
2006134428.tif 000010